(57)【特許請求の範囲】
【請求項１】
布部材と前記布部材に接続された透明部材とにより構成され、美容施術の際に被施術者の頭部及び顔部を露出させつつ少なくとも上半身を覆うように被せられる美容施術用ケープであって、
前記被施術者の少なくとも襟元領域を含む所定領域のうち、当該被施術者から見て前側でかつ左右方向一方側の部分領域を前記透明部材によりケープ外から視認可能とし、当該被施術者から見て前側でかつ左右方向他方側の部分領域を前記布部材によりケープ外から視認不能とするように構成した
ことを特徴とする美容施術用ケープ。
【請求項２】
請求項１記載の美容施術用ケープにおいて、
前記被施術者の少なくとも襟元領域を含む所定領域のうち、当該被施術者から見て後側でかつ左右方向一方側の部分領域を前記布部材によりケープ外から視認不能とし、当該被施術者から見て後側でかつ左右方向他方側の部分領域を前記透明部材によりケープ外から視認可能とするように構成した
ことを特徴とする美容施術用ケープ。
【請求項３】
請求項１又は請求項２記載の美容施術用ケープにおいて、
前記透明部材と前記布部材との接続部は、
当該透明部材の端部と当該布部材の端部とをそれぞれ前記被施術者側へ折り込み、それら折り込んだ部分を縫合して構成されている
ことを特徴とする美容施術用ケープ。
【請求項４】
美容施術の際に、被施術者の頭部及び顔部を露出させつつ少なくとも上半身を覆うように被せられる美容施術用ケープであって、
前記被施術者の少なくとも襟元領域を含む所定領域を視認可能とする部位に配置される透明部材と、
前記美容施術用ケープのうち前記所定領域を視認可能とする部位以外の周囲部位を構成する布部材と、
を有し、
前記透明部材と前記布部材との接続部は、
当該透明部材の端部と当該布部材の端部とをそれぞれ前記被施術者側へ折り込み、それら折り込んだ部分を縫合して構成されており、
前記接続部は、横断面視において、
Ｌ字状の前記透明部材の略水平部分と逆Ｌ字状の前記布部材の略水平部分とが互いに重ね合わされた状態で、それら略水平部分どうしを縫合して構成されており、
前記所定領域は、
前記被施術者の前記襟元領域の下方に続く胸領域と、
前記胸領域の下方に続く臍上領域と、をさらに含み、
前記透明部材は、
前記胸領域に対応する第１部位と、
前記臍上領域に対応する第２部位と、を含む部位に配置されており、
前記所定領域は、前記襟元領域の外周側に続く前記被施術者の肩領域をさらに含み、
前記透明部材は、
前記第１部位と、前記第２部位と、前記肩領域に対応する第３部位と、を含む部位に配置されている
ことを特徴とする美容施術用ケープ。
【請求項５】
請求項４記載の美容施術用ケープにおいて、
前記透明部材は、
前記施術者の鎖骨が視認可能となるように配置されている
ことを特徴とする美容施術用ケープ。
【請求項６】
請求項４又は請求項５記載の美容施術用ケープにおいて、
前記所定領域は、前記肩領域の下方に続く前記被施術者の上腕領域をさらに含み、
前記透明部材は、
前記第１部位と、前記第２部位と、前記第３部位と、前記上腕領域に対応する第４部位と、を含む部位に配置されている
ことを特徴とする美容施術用ケープ。
【請求項７】
請求項６記載の美容施術用ケープにおいて、
前記所定領域は、前記肩領域の背中側に続く前記被施術者の上背領域をさらに含み、
前記透明部材は、
前記第１部位と、前記第２部位と、前記第３部位と、前記第４部位と、前記上背領域に対応する第５部位と、を含む部位に配置されている
ことを特徴とする美容施術用ケープ。
【請求項８】
請求項１〜請求項７のいずれか１項記載の美容施術用ケープにおいて、
前記被施術者の首回りに当接する外縁部位は前記布部材により構成されている
ことを特徴とする美容施術用ケープ。
【請求項９】
請求項１〜請求項８のいずれか１項記載の美容施術用ケープにおいて、
前記透明部材は、熱可塑性ポリウレタンにより構成されており、
前記布部材は、ポリエステルにより構成されている
ことを特徴とする美容施術用ケープ。
【発明の詳細な説明】
【技術分野】
【０００１】
本発明は、美容施術用ケープに関する。
【背景技術】
【０００２】
従来、美容院等において被施術者が着用するカットクロスであって、透明樹脂からなる窓部を具備するカットクロスが知られている（例えば、特許文献１参照）。この従来技術のカットクロスでは、施術者が座ったときの膝部に相当する箇所に窓部が設けられ、該窓部を通してカットクロスの内側に配置した雑誌や携帯電話を施術中に楽しむことができる。
【先行技術文献】
【特許文献】
【０００３】
【特許文献１】実用新案登録第３１８５５２２号公報（図１等）
【発明の概要】
【発明が解決しようとする課題】
【０００４】
上記従来技術のカットクロスでは、被施術者の上半身に相当する部位は不透明あるいは半透明の従来の合成樹脂で構成されていた。このようなカットクロスでは被施術者の髪の毛が長い場合、施術者が髪の毛の長さと体や洋服のシルエットとのバランスとを視覚的に確認しながらカットすることは困難であった。そのため施術者がカットしすぎてしまう等のミスが生じ、カットクロスを外した後に、例えば被施術者が思ったより髪の毛が短くイメージ通りになっていない、等の不都合が生じる場合があった。
【０００５】
本発明の目的は、少なくとも被施術者の襟元領域をリアルタイムで見ながら髪のカットを行うことができ、施術者又は被施術者のイメージ通りの髪形を実現することができる美容施術用ケープを提供することにある。
【課題を解決するための手段】
【０００６】
上記目的を達成するために、本願発明の美容施術用ケープは、布部材と前記布部材に接続された透明部材とにより構成され、美容施術の際に被施術者の頭部及び顔部を露出させつつ少なくとも上半身を覆うように被せられる美容施術用ケープであって、前記被施術者の少なくとも襟元領域を含む所定領域のうち、当該被施術者から見て前側でかつ左右方向一方側の部分領域を前記透明部材によりケープ外から視認可能とし、当該被施術者から見て前側でかつ左右方向他方側の部分領域を前記布部材によりケープ外から視認不能とするように構成したことを特徴とする。
また上記目的を達成するために、本願発明の美容施術用ケープは、美容施術の際に、被施術者の頭部及び顔部を露出させつつ少なくとも上半身を覆うように被せられ、前記被施術者の少なくとも襟元領域を含む所定領域を視認可能とする部位に配置される透明部材と、前記美容施術用ケープのうち前記所定領域を視認可能とする部位以外の周囲部位を構成する布部材と、を有し、前記透明部材と前記布部材との接続部は、当該透明部材の端部と当該布部材の端部とをそれぞれ前記被施術者側へ折り込み、それら折り込んだ部分を縫合して構成されており、前記接続部は、横断面視において、Ｌ字状の前記透明部材の略水平部分と逆Ｌ字状の前記布部材の略水平部分とが互いに重ね合わされた状態で、それら略水平部分どうしを縫合して構成されており、前記所定領域は、前記被施術者の前記襟元領域の下方に続く胸領域と、前記胸領域の下方に続く臍上領域と、をさらに含み、前記透明部材は、前記胸領域に対応する第１部位と、前記臍上領域に対応する第２部位と、を含む部位に配置されており、前記所定領域は、前記襟元領域の外周側に続く前記被施術者の肩領域をさらに含み、前記透明部材は、前記第１部位と、前記第２部位と、前記肩領域に対応する第３部位と、を含む部位に配置されていることを特徴としている。
【０００７】
従来の美容施術用ケープは、首と頭だけしか露出していないため、髪がカットされるとき、施術者と被施術者（客）は、髪の毛と被施術者の体のラインや洋服のシルエットとの全体バランスをリアルタイムでイメージすることができなかった。そのため、施術が終了しケープを脱いだ後で、当初抱いていたイメージと違っている（特に、思ったより短く切りすぎて失敗した等の長さイメージの誤解が多い）等の不都合が生じていた。
これに対し、本願発明では、所定の部位に透明部材が設けられることによって、施術者は、施術中に、少なくとも被施術者の襟元領域をリアルタイムで見ながら髪のカットを行うことができる。したがって、上記のような違和感のない、施術者又は被施術者のイメージ通りの髪形を実現することができる。
【発明の効果】
【０００８】
本発明の美容施術用ケープによれば、施術者は、少なくとも被施術者の襟元領域をリアルタイムで見ながら髪のカットを行うことができ、施術者又は被施術者のイメージ通りの髪形を実現することができる。
【図面の簡単な説明】
【０００９】
【図１】被施術者の各所定領域の詳細を表す正面図および背面図である。
【図２】本発明の一実施形態による美容施術用ケープを被施術者が装着した状態を表す正面図および背面図である。
【図３】図２の美容施術用ケープの詳細を表す斜視図である。
【図４】胸領域及び臍上領域を視認可能とした変形例における、美容施術用ケープを被施術者が装着した状態を表す正面図である。
【図５】さらに肩領域も視認可能とした変形例における、美容施術用ケープを被施術者が装着した状態を表す正面図である。
【図６】さらに上腕領域及び上背領域を視認可能とした変形例における、美容施術用ケープを被施術者が装着した状態を表す正面図および背面図である。
【図７】左側・右側半分の片方だけ透明部材とした変形例における、美容施術用ケープを被施術者が装着した状態を表す正面図および背面図である。
【発明を実施するための形態】
【００１０】
以下、本発明の一実施形態を図面を参照して説明する。本実施形態は、美容施術時に被施術者が装着する美容施術用ケープにおいて、被施術者の上半身の所定領域を視認可能とする部位に透明部材を設けることを特徴とする。
【００１１】
まず最初に、上述した各所定領域についてわかりやすく説明するために、図１に被施術者Ｍの上半身における各所定領域の詳細を示す。図１（ａ）の正面図において被施術者Ｍの襟元領域２、胸領域７、臍上領域８．肩領域９、上腕領域１０を示す。胸領域７は襟元領域２の下方に続き、臍上領域８は胸領域７の下方に続き、肩領域９は襟元領域２の外周側に続き、上腕領域１０は肩領域９の下方に続く領域である。図１（ｂ）の背面図において被施術者Ｍの肩領域９、上腕領域１０、上背領域１１、後側から見た襟元領域１４を示す。上背領域１１は肩領域９の背中側に続く領域である。また、後側から見た襟元領域１４は、図１（ａ）における襟元領域２を被施術者Ｍの背面から見た時の領域を示す。
【００１２】
図２（ａ）に本発明の一実施形態に係る美容施術用ケープを被施術者Ｍが装着した状態を表す正面図、図２（ｂ）にその背面図を示す。
【００１３】
図２（ａ）及び図２（ｂ）において、被施術者Ｍに被せられた美容施術用ケープ１は、被施術者Ｍの頭部１５及び顔部１６を露出させつつ、少なくとも上半身を覆っている。図２（ａ）において、美容施術用ケープ１の透明部材３は、図１（ａ）に示した襟元領域２を視認可能とする部位１７に配置されている。すなわち、本実施形態では襟元領域２が上記所定領域である。美容施術用ケープ１の透明部材３以外の周囲部位は布部材４により構成されている。この図では透明部材３は被施術者Ｍの正面の側にのみ配置されており、背面の側は全面が布部材４で構成されている。本実施形態の美容施術用ケープ１において、透明部材３は被施術者Ｍの鎖骨Ｃが視認可能となるように配置されている。
【００１４】
図２（ａ）には透明部材３と布部材４との接続部５の拡大図についても示している。接続部５は、透明部材３の端部と布部材４の端部とをそれぞれ前記被施術者Ｍ側へ折り込み、それらを折り込んだ部分を糸６により縫合して構成されている。さらに詳しく述べると、接続部５は、横断面視において、Ｌ字状の透明部材３の略水平部分１８と逆Ｌ字状の前記布部材４の略水平部分１９とが互いに重ね合わされた状態で、それら略水平部分１８，１９どうしを糸６で縫合して構成されている。なお、図２（ａ）に示すＹ方向は、被施術者Ｍの正面から見て被施術者Ｍのほうにまっすぐ向かう方向である。Ｘ方向及びＺ方向はそれぞれＹ方向に直交する方向である。同様の方向が図３、図７に適宜適用される。
【００１５】
なお、図２（ｂ）では、美容施術用ケープ１の布部材４は被施術者Ｍの背面でマジックテープ（登録商標）１３等により止められるようになっている。
【００１６】
図３に、本実施形態における美容施術用ケープ１の詳細を示す。図３は、美容施術用ケープ１を被施術者Ｍが被る際に、被施術者Ｍ側から見た図を示している。美容施術用ケープ１は透明部材３と布部材４とを備えている。また透明部材３と布部材４とは接続部５により接続されている。接続部５は透明部材３と布部材４との境界となる領域に配置され、縫合などにより両者を接続している。接続部５は美容施術用ケープ１の内側、すなわち被施術者Ｍ側に透明部材３と布部材４の端部が折り込まれて縫合されており、被施術者Ｍ側に糸６による縫合部分が配置されるようになっている。美容施術用ケープ１のデザインや寸法はこの図に限定されるものはない。この図では被施術者Ｍの腕を通す袖の部分が設けられているが、袖がないタイプであってもよい。
【００１７】
なお、美容施術用ケープ１は、厳密には、被施術者Ｍが着用する前は平面的な「カットクロス」であり、客が着用して首まわりをマジックテープ（登録商標）１３で止め立体的になった状態で「ケープ」となる。本実施形態の説明においては、説明上の便宜をはかるためにすべて「ケープ」と総称している。
【００１８】
美容施術用ケープ１は図２（ａ）に示される被施術者Ｍの首２０の回りに当接する外縁部位１２を備えていてもよい。外縁部１２は前記布部材４と同様の素材の布部材により構成されている。外縁部１２は布部材４と異なる素材で構成されていてもかまわない。この図では外縁部１２は被施術者Ｍの首２０のうしろでマジックテープ（登録商標）１３などでループ状に止めることができるようになっている。美容施術用ケープ１の透明部材３は、透明樹脂により構成されている。透明部材３は例えば熱可塑性ポリウレタンにより構成されている。美容施術用ケープ１の布部材４は、不透明もしくは半透明の樹脂により形成されている。布部材４は例えばポリエステルにより構成されている。
【００１９】
＜本実施形態の効果＞
上記のように構成した本実施形態においては、以下の効果を奏する。
すなわち、従来のケープにおいては、被施術者Ｍの首２０と頭１５だけしか露出していないため、施術者（図示せず）により髪がカットされるとき被施術者Ｍは、髪の毛２１と被施術者Ｍの体のラインや洋服２２のシルエットとの全体バランスをリアルタイムでイメージすることができなかった。そのため、施術者がカットし過ぎてしまう等のミスが生じてしまう場合があり、施術が終了しケープを脱いだ後で、被施術者Ｍが当初抱いていたイメージと違っている（特に、思ったより短く切りすぎて失敗した等の長さイメージの誤解が多い）等の不都合が生じていた。
【００２０】
そこで、本実施形態においては、美容施術用ケープ１に透明部材３が設けられることによって、施術者は、施術中に、少なくとも被施術者Ｍの襟元領域２をリアルタイムで見ながら髪のカットを行うことができる。したがって、前述したカットしすぎ等のミスを防止できるので、上記のような違和感のない、施術者又は被施術者Ｍのイメージ通りの髪形を実現することができる。
【００２１】
また、透明部材３と布部材４は材質が大きく異なるため、耐久性の観点から、強固に縫合して接合する必要がある。そのため、単純に同一平面で接合するよりも、端部同士をいったんＬ字型に折り込んで、その折り込んだ水平部分を面に垂直に縫合することが好ましい。そこで、本実施形態では特に、透明部材３と布部材４との接続部５は、当該透明部材の端部と当該布部材の端部とをそれぞれ被施術者Ｍ側へ折り込み、それら折り込んだ部分を縫合して構成されている。こうすることで透明部材３と布部材４との接続部５から髪の毛が内側に入り込むのも（同一平面方式に比べて）確実に防止できる。なお、折り込み部分を美容施術用ケープ１の内側でなく外側に配置すると、外に突出したＬ字部分に対しカットした髪の毛がひっかかるなどの不都合が生じる場合がある。本実施形態では接続部５の構造を上記のような被施術者Ｍ側への折り込み構造とすることで、通常使用時や洗濯時の耐久性に優れ、髪の毛が入り込みにくい美容施術用ケープ１を提供することができる。
【００２２】
また、本実施形態では特に、被施術者Ｍの鎖骨Ｃが透明部材３から視認可能となるように構成されている。これにより、頭部１５と顔部１６と髪の毛２１と鎖骨Ｃとのバランスをリアルタイムで確認することができる。
【００２３】
また、本実施形態では特に、被施術者Ｍの首回りに当接する外縁部位１２が布部材４により構成されている。これにより、ケープ着用時、首がゴワゴワする等、皮膚への異物感・違和感をなくすことができる。なお、美容施術時にさらに首周りにタオルなどを巻くと、タオルの厚みで施術が行いにくくなる場合があるが、この美容施術用ケープ１を装着する際には、首回りに薄く細い帯状のコットンなど適宜の長さにしたものなどを巻いたりしてもよい。美容施術用ケープ１の首回りは、外縁部位１２以外は透明部材３で構成されており強度や重みを持たせることもできるのでこのような薄いコットンなどを巻いてもコットンが単独で首から外れて落ちにくい。このようにして、美容施術用ケープ１の内側に髪の毛が入り込むことなく、被施術者Ｍの違和感も少なく、施術者も施術が行いやすいものとなる。
【００２４】
また、本実施形態では特に、美容施術用ケープ１の透明部材３が熱可塑性ポリウレタンにより構成されている。これにより、透明部材３の表面がツルツルになりカットした髪の毛が滑って下に落ちやすくなる。またウェットティッシュ等でさっとひと拭きするだけで簡単に清掃や消毒が可能である。さらに、美容施術用ケープ１の布部材４がポリエステルにより構成されることで洗濯が行いやすくなる効果もある。
【００２５】
なお、本実施形態において、透明部材３の厚みは例えば０．３ｍｍである。透明部材３の厚みが厚すぎると施術者が美容施術用ケープ１を装着した時の通気性が低下して被施術者Ｍが暑さを感じたり、量産時に布部材４との縫合が困難となる場合があるためである。逆に透明部材３の厚みが薄すぎると、美容施術用ケープ１の通常使用時もしくは洗濯時の耐久性が低下する場合があるためである。
【００２６】
なお、本発明は、上記実施形態に限られるものではなく、その趣旨及び技術的思想を逸脱しない範囲内で種々の変形が可能である。以下、そのような変形例を順を追って説明する。
【００２７】
（１）胸領域及び臍上領域を視認可能とする場合
図４に美容施術用ケープ１が被施術者Ｍの胸領域７および臍上領域８を視認可能とする変形例を示す。図４に示すように、この変形例では、美容施術用ケープ１の透明部材３は、図１（ａ）に示した襟元領域２と、胸領域７と、臍上領域８とを視認可能とする部位１７に配置されている。すなわち本変形例においては、襟元領域２と、胸領域７と、臍上領域８とが上記所定領域である。美容施術用ケープ１の透明部材３は、図１（ａ）に示した胸領域７に対応する第１部位２３と、図１（ａ）に示した臍上領域８に対応する第２部位２４とを含む部位１７に配置されている。また、部位１７はさらに、図１（ａ）に示した襟元領域２に対応する部位２９を含む。
【００２８】
＜本変形例の効果＞
前述したように、髪の毛２１と洋服２２等との視覚的な全体バランスを取りたい、という意味では透明部材３を配置する領域は広ければ広いほどよい。しかしながら、あまり広すぎると被施術者Ｍ（客）にして見れば自分の姿があまりにも露になりリラックスできない。特に、臍下まで見えてしまうと、男性の施術者に対し、自分の腹部が出っ張ったところを見せたくないという羞恥心が働き、施術中、常に腹部に力を入れておかねばならずリラックスできない。このような状況は夏の薄着のとき、体のラインがよく見えるタイトな服を着用したときに特に顕著に起こる可能性がある。
そこで本変形例では、少なくとも臍下は布部材４で隠れるようにすることで、上記弊害を回避し、リラックスして施術が受けられるようにすることができる。
【００２９】
（２）さらに肩領域も視認可能とする場合
図５に美容施術用ケープ１が被施術者Ｍの肩領域９をさらに視認可能とする変形例を示す。図５に示すように、この変形例では、美容施術用ケープ１の透明部材３は、図１（ａ）に示した襟元領域２と、胸領域７と、臍上領域８と、肩領域９を視認可能とする部位１７に配置されている。すなわち本変形例においては、襟元領域２と、胸領域７と、臍上領域８と、肩領域９とが上記所定領域である。美容施術用ケープ１の透明部材３は、図１（ａ）に示した胸領域７に対応する上記第１部位２３と、図１（ａ）に示した臍上領域８に対応する上記第２部位２４と、図１（ａ）に示した肩領域９に対応する第３部位２５とを含む部位１７に配置されている。また、部位１７はさらに、図１（ａ）に示した襟元領域２に対応する部位２９を含む。
【００３０】
＜本変形例の効果＞
本変形例では、美容施術用ケープ１の透明部材３が被施術者Ｍの肩領域９を視認可能とする第３部位２５を含む位置に配置されることで、髪の毛と肩の線とのバランスをリアルタイムで確認することができる。
【００３１】
（３）さらに上腕領域及び上背領域を視認可能とする場合
図６（ａ）及び図６（ｂ）に被施術者Ｍが装着した美容施術用ケープ１が被施術者Ｍの上腕領域１０及び上背領域１１を視認可能とする変形例を示す。図６（ａ）及び図６（ｂ）に示すように、本変形例では、美容施術用ケープ１の透明部材３は、図１（ａ）に示した襟元領域２と、胸領域７と、臍上領域８と、肩領域９と、上腕領域１０と、上背領域１１を視認可能とする部位１７に配置されている。すなわち本変形例においては、襟元領域２と、胸領域７と、臍上領域８と、肩領域９と、上腕領域１０と、上背領域１１が上記所定領域である。美容施術用ケープ１の透明部材３は、図１（ａ）に示した胸領域７に対応する第１部位２３と、図１（ａ）に示した臍上領域８に対応する第２部位２４と、図１（ａ）に示した肩領域９に対応する第３部位２５と、図１（ａ）に示した上腕領域１０に対応する第４部位２６と、図１（ｂ）に示した上背領域１１に対応する第５部位２７と、を含む部位１７に配置されている。また、部位１７はさらに、図１（ａ）に示した襟元領域２に対応する部位２９を含む。
【００３２】
＜本変形例の効果＞
本変形例では、美容施術用ケープ１の透明部材３が被施術者Ｍの上腕領域１０を視認可能とする第４部位２６を含む位置に配置されることで、髪の毛２１と上腕２８とのバランスをリアルタイムで確認することができる。
【００３３】
また、本変形例では、美容施術用ケープ１の透明部材３が被施術者Ｍの上背領域１１を視認可能とする第５部位２７を含む位置に配置されることで、髪の毛２１と背中側（首２０の後ろ）とのバランスをリアルタイムで確認することができる。
【００３４】
（４）左側・右側半分の片方だけ透明部材とする場合
図７（ａ）に本変形例に係る美容施術用ケープを被施術者Ｍが装着した状態を表す正面図、図７（ｂ）にその背面図を示す。図７（ａ）及び図７（ｂ）において、被施術者Ｍに被せられた美容施術用ケープ１は、布部材４と、布部材４に接続された透明部材３とにより構成され、被施術者Ｍの頭部１５及び顔部１６を露出させつつ、少なくとも上半身を覆っている。
【００３５】
本変形例の美容施術用ケープ１は、被施術者Ｍの少なくとも襟元領域２を含む所定領域のうち、被施術者Ｍから見て前側でかつ左右方向一方側の部分領域を透明部材３によりケープ１外から視認可能とし、被施術者Ｍから見て前側でかつ左右方向他方側の部分領域を布部材４によりケープ１外から視認不能とするように構成している。図７（ａ）では、被施術者Ｍの正面図において美容施術用ケープ１の透明部材３は、図１（ａ）に示した被施術者Ｍの襟元領域２を含む所定領域のうち右側の半分（被施術者Ｍの左上半身前面に相当）の部分領域３０に配置され、該所定領域の左側の半分は布部材４が配置されている。
【００３６】
また、この変形例の美容施術用ケープ１は、前記被施術者Ｍの少なくとも襟元領域２を含む所定領域のうち、被施術者Ｍから見て後側でかつ左右方向一方側の部分領域を前記布部材によりケープ外から視認不能とし、被施術者Ｍから見て後側でかつ左右方向他方側の部分領域を透明部材３によりケープ外から視認可能とするように構成している。図７（ｂ）では、被施術者Ｍの背面図において美容施術用ケープ１の透明部材３は、図１（ｂ）に示した後側から見た襟元領域１４を含む所定領域のうち右側の半分（被施術者Ｍの右上半身背面に相当）の部分領域３０に透明部材３が配置され、該所定領域の左側の半分は布部材４が配置されている。
【００３７】
図７（ａ）には透明部材３と布部材４との接続部５の拡大図についても示している。接続部５は、透明部材３の端部と布部材４の端部とをそれぞれ前記被施術者Ｍ側へ折り込み、それらを折り込んだ部分を糸６により縫合して構成されている。接続部５については前述の実施形態の構造と同様のため説明を省略する。
【００３８】
＜本変形例の効果＞
前述のように、髪の毛２１と洋服２２等との視覚的な全体バランスを取りたい、という意味では透明部材３を配置する領域は広ければ広いほどよい。しかしながら、施術者（美容師）側から見ると、（特に髪の毛２１の色が黒である場合等の暗い場合で、洋服２２の色も暗い場合等）透明部材３越しに洋服２２の色と髪の毛２１の色が混じってしまい、髪の毛２１の先端位置が見えづらく、カットしにくい難点がある。髪の毛２１の背景が従来通りの布部材であれば、例えば白い布部材が背景色となり、施術者側からは、黒又は茶色の髪の毛の位置がはっきりと見えやすい。
【００３９】
そこで、本変形例においては、図７の例に示すように、例えば左半分のみを透明部材３、残りは布部材４とすることで、透明部材３側で被施術者Ｍ（客）が視覚的な全体バランスを把握できるようにしつつ、布部材４側で施術者（美容師）は髪の毛２１の位置をしっかり把握しカットしやすくすることができる。すなわち、被施術者Ｍにとっての利便性と施術者にとっての利便性との両立を図ることができる。また、上記のように施術者（美容師）側の利便性向上を図る際、例えば前側で左半分の確認、後側で右半分の確認をすることができ、前後全体で左右両側の確認をすることができる。
【００４０】
（５）その他
なお、以上において、美容施術用ケープ１は美容施術の際に着用するものである。美容施術の具体例としては、特に限定されるものではないが、本実施形態では、髪の毛のカットやセット、パーマやカラーリング等を含む美容院や理容室での施術を想定している。これらの施術においては髪の毛の長さ、色、スタイルと、被施術者Ｍの襟元を含む上半身のスタイルや、洋服の色や形などのデザインとを調整することが所望されるためである。
【００４１】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４２】
また、以上既に述べた以外にも、上記実施形態や各変形例による手法を適宜組み合わせて利用しても良い。
【００４３】
その他、一々例示はしないが、本発明は、その趣旨を逸脱しない範囲内において、種々の変更が加えられて実施されるものである。
【符号の説明】
【００４４】
１                美容施術用ケープ
２                襟元領域
３                透明部材
４                布部材
５                接続部
６                糸
７                胸領域
８                臍上領域
９                肩領域
１０              上腕領域
１１              上背領域
１２              外縁部
１３              マジックテープ（登録商標）
１４              後側から見た襟元領域
１５              頭部
１６              顔部
１７              部位
１８              透明部材の略水平部分
１９              布部材の略水平部分
２０              首
２１              髪の毛
２２              洋服
２３              第１部位
２４              第２部位
２５              第３部位
２６              第４部位
２７              第５部位
２８              上腕
２９              襟元領域に対応する部位
３０              部分領域
Ｃ              鎖骨
【要約】
【課題】被施術者のイメージ通りの髪形を実現することができる美容施術用ケープを提供する。
【解決手段】
図２の美容施術用ケープ１は、美容施術の際に、被施術者Ｍの頭部１５及び顔部１６を露出させつつ少なくとも上半身を覆うように被せられ、前記被施術者Ｍの少なくとも襟元領域２を含む所定領域を視認可能とする部位１７に配置される透明部材３と、前記美容施術用ケープ１のうち前記所定領域を視認可能とする部位以外の周囲部位を構成する布部材４とを有し、前記透明部材３と前記布部材４との接続部５は、当該透明部材３の端部と当該布部材４の端部とをそれぞれ前記被施術者Ｍ側へ折り込み、それら折り込んだ部分を縫合して構成される。
【選択図】図２【図１】
0006929583.tif 000002
【図２】
0006929583.tif 000003
【図３】
0006929583.tif 000004
【図４】
0006929583.tif 000005
【図５】
0006929583.tif 000006
【図６】
0006929583.tif 000007
【図７】
0006929583.tif 000008